(57)【要約】【課題】光検知素子を設けて周囲の明るさを検出し、暗い場合にはコンプレッサーやファンモータの回転数を制御して節電運転を行うため、活用の範囲が冷却システム内に限定されており、冷蔵庫の利用者に対する使い勝手については、考えられていないという課題を有していた。【解決手段】周囲の明るさを検知する光センサーなどの照度検出手段を本体表面に設置し、周囲の明るさに応じて、庫内灯の照度を調整し電気代を節約できる冷蔵庫を提供する。【選択図】図１
2010281481.tif 000002
【特許請求の範囲】
【請求項１】
冷蔵庫本体と、前記冷蔵庫庫内の側面に設けられた灯を複数配置した庫内灯と、前記冷蔵庫本体の前面に設けられた操作基板と、前記冷蔵庫本体の前面付近の明るさを検知する照度検知手段を備え、前記庫内灯の照度を複数段階に調光する調光手段を備えたことを特徴とする冷蔵庫。
【請求項２】
前記照明検知手段により検知した明るさに応じて、前記調光手段により前記庫内灯の照度を自動で調光することを特徴とする請求項１に記載の冷蔵庫。
【請求項３】
前記冷蔵庫本体前の人の動きを検知する人体検知手段を備え、前記人体検知手段は前記庫内灯に配置されたことを特徴とする請求項１に記載の冷蔵庫。
【請求項４】
前記庫内灯に配置された灯を複数のグループに分け、前記グループ毎に前記人体検知手段を１個配置されたことを特徴とする請求項１、または３に記載の冷蔵庫。
【請求項５】
前記グループ毎に１個配置した前記人体検知手段により、前記冷蔵庫本体前の人の動きを検知し、前記調光手段により前記グループの灯の照度を強弱することを特徴とする請求項１、３、４いずれか一項に記載の冷蔵庫。
【発明の詳細な説明】
【技術分野】
【０００１】
本発明は、周囲の明るさを検知する光センサーなどの照度検出手段を本体表面に設置し、周囲の明るさに応じて、庫内灯の照度を調整する冷蔵庫に関するものである。
【背景技術】
【０００２】
従来、この種の冷蔵庫はドアの表面に光検知素子を設けて周囲の明るさを検出し、暗い場合にはコンプレッサーやファンモータの回転数を制御して節電運転を行なうものがある（例えば、特許文献１参照）。
【先行技術文献】
【特許文献】
【０００３】
【特許文献１】実開昭６２−９３６７１号公報
【発明の概要】
【発明が解決しようとする課題】
【０００４】
しかしながら、前記従来の構成では、光検知素子を設けて周囲の明るさを検出し、暗い場合にはコンプレッサーやファンモータの回転数を制御して節電運転を行うため、活用の範囲が冷却システム内に限定されており、冷蔵庫の利用者に対する使い勝手については、考えられていないという課題を有していた。
【０００５】
本発明は、前記従来の課題を解決するもので、周囲の明るさを検知する光センサーなどの照度検出手段を本体表面に設置し、周囲の明るさに応じて庫内灯の照度を調整し電気代を節約できる冷蔵庫を提供することを目的とする。
【課題を解決するための手段】
【０００６】
前記従来の課題を解決するために、本発明の冷蔵庫は、冷蔵庫本体と、前記冷蔵庫庫内の側面に設けられた灯を複数配置した庫内灯と、前記庫内灯の照度を複数段階に調光する調光手段と、前記冷蔵庫本体の前面に設けられた操作基板と、前記冷蔵庫本体の前面付近の明るさを検知する照度検知手段を備え、前記照度検知手段は前記操作基板の近傍に配置したものである。
【０００７】
本構成によって、照度検知手段の受光部が冷蔵庫設置場所の明るさを検知し、その照度に応じて庫内灯の調光を変化させ庫内灯の照明で収納食品を認識する最適な照度を実現できることになる。
【０００８】
本発明の冷蔵庫は、前記照明検知手段により検知した明るさに応じて、前記調光手段により前記庫内灯の照度を自動で調光する。
【０００９】
本構成によって、周囲の明るさを検知する照度検知手段を本体表面に設置し、周囲の明るさに応じて、庫内灯の照度を調整するため、庫内灯の省エネ効果がある。
【００１０】
本発明の冷蔵庫は、前記冷蔵庫本体前の人の動きを検知する人体検知手段を備え、前記人体検知手段は前記庫内灯に配置したものである。
【００１１】
本構成によって、人体検知手段を庫内灯に配置することにより、庫内灯の取り付け位置に人の有無を検知することができる。
【００１２】
本発明の冷蔵庫は、前記庫内灯に配置された灯を複数のグループに分け、前記グループ毎に前記人体検知手段を１個配置したものである。
【００１３】
本構成によって、人体検知手段をグループ毎に庫内灯を配置することにより、人の上下の移動を検知することができる。
【００１４】
本発明の冷蔵庫は、前記グループ毎に１個配置した前記人体検知手段により、前記冷蔵庫本体前の人の動きを検知し、前記調光手段により前記グループの灯の照度を強弱する。
【００１５】
本構成によって、人の上下の移動に応じて、庫内灯のグループ毎に分けられた灯の照度が強弱し、庫内灯の省エネ効果がある。
【発明の効果】
【００１６】
本発明の冷蔵庫は、周囲の明るさを検知する照度検知手段を本体表面に設置し、周囲の明るさに応じて、庫内灯の照度を調整する。また人の上下の移動に応じて、庫内灯のグループ毎に分けられた灯の照度が強弱するため、周囲の照度、人に動きにより庫内灯の強弱による省エネ効果がある。
【図面の簡単な説明】
【００１７】
【図１】本発明の実施の形態１における冷蔵庫の正面図
【図２】本発明の実施の形態１における冷蔵庫の操作基板の構成図
【図３】本発明の実施の形態１における冷蔵庫の庫内灯の構成図
【図４】本発明の実施の形態１における冷蔵庫の制御ブロック図
【図５】本発明の実施の形態１における冷蔵庫の照度検知の制御フローチャート
【図６】本発明の実施の形態２における冷蔵庫の庫内灯の構成図
【図７】本発明の実施の形態２における冷蔵庫の制御ブロック図
【図８】本発明の実施の形態２における冷蔵庫の人体検知の制御フローチャート
【図９】従来の冷蔵庫のブロック図
【図１０】本発明の実施の形態１における室内の照度と庫内の灯の照度の関係グラフ
【発明を実施するための形態】
【００１８】
請求項１に記載の発明は、冷蔵庫本体と、前記冷蔵庫庫内の側面に設けられた灯を複数配置した庫内灯と、前記庫内灯の照度を複数段階に調光する調光手段と、前記冷蔵庫本体の前面に設けられた操作基板と、前記冷蔵庫本体の前面付近の明るさを検知する照度検知手段を備え、前記照度検知手段は前記操作基板の近傍に配置したことにより、照度検知手段の受光部が冷蔵庫設置場所の明るさを検知し、その照度に応じて庫内灯の調光を変化させ庫内灯の照明で収納食品を認識する最適な照度を実現できることになる。
【００１９】
請求項２に記載の発明は、請求項１に記載の発明の前記照度検知手段により検知した明るさに応じて、前記調光手段により前記庫内灯の照度を強弱することにより、周囲の明るさを検知する照度検知手段を本体表面に設置し、周囲の明るさに応じて、庫内灯の照度を自動で調光するため、庫内灯の省エネ効果がある。
【００２０】
請求項３に記載の発明は、請求項１に記載の発明の前記冷蔵庫本体前の人の動きを検知する人体検知手段を備え、前記人体検知手段は前記庫内灯に配置することにより、庫内灯の取り付け位置に人の有無を検知することができる。
【００２１】
請求項４に記載の発明は、請求項１、３に記載の発明の前記庫内灯に配置された灯を複数のグループに分け、前記グループ毎に前記人体検知手段を１個配置することにより、人体検知手段をグループ毎に庫内灯を配置することにより、人の上下の移動を検知すること
ができる。
【００２２】
請求項５に記載の発明は、請求項１，３，４に記載の発明の前記グループ毎に１個配置した前記人体検知手段により、前記冷蔵庫本体前の人の動きを検知し、前記調光手段により前記グループの灯の照度を強弱することにより、人の上下の移動に応じて、庫内灯のグループ毎に分けられた灯の照度が強弱し、庫内灯の省エネ効果がある。
【００２３】
（実施の形態１）
図１は、本発明の実施の形態１における冷蔵庫の正面図である。
【００２４】
図１において、冷蔵庫本体１の前面には各貯蔵室用のドアがあり、冷凍室ドア２、冷蔵室ドア３がレイアウトされている。冷蔵室ドア３の中央部付近には操作基板７が配置され、冷蔵庫本体の前面付近の明るさを検知する照度検知手段８が設けられている。照度検知手段８としては、フォトダイオードやフォトトランジスタをベース素子とした光センサーを用いることで具体的に構成することができる。
【００２５】
また、冷蔵庫本体１の庫内には、ドアの開閉状態を検知するドア開閉検知手段７と、庫内の照明を行う庫内灯が配置されている。
【００２６】
尚、ドアのレイアウトは代表的なものであって、このレイアウトに限定されるものではない。
【００２７】
以上のように構成された冷蔵庫について、以下その動作、作用を説明する。
【００２８】
まず、冷蔵庫本体１の前面に取り付けられた照度検知手段８によって、日射や室内照明機器の照射による冷蔵庫周辺の照度レベルを検知する。検知した照度レベルは冷蔵庫本体１の制御手段（図示せず）に入力される。
【００２９】
図２は、冷蔵庫の操作基板の構成図である。
【００３０】
図２において、操作基板７の下方部には、設定温度調節や運転モード切換えを行なう複数個の操作スイッチ９が配置されている。操作スイッチ８の上部には、操作スイッチ８により設定された状態を表示する、例えばＬＥＤで構成された複数個の表示灯９が配置されている。更に表示灯９の上部には照度検知手段５を配設し、操作スイッチ８、表示灯９と共に、操作基板７の一枚の基板上で構成されている。
【００３１】
図３は、冷蔵庫本体１の庫内に配置された庫内灯の構成図である。
【００３２】
図３において、庫内灯６は、複数の灯１０で構成されている。
【００３３】
図４は、冷蔵庫本体１の制御ブロック図である。
【００３４】
ドア開閉検知手段６と照度検知手段５は、制御装置１１の入力情報と接続されている。また庫内灯６の灯１０は、灯１０の明るさを強弱と調整できる調光手段１２を介して制御装置１１からの出力情報として接続されている。
【００３５】
図５の照度検知の制御フローチャートにより動作の説明を行う。
【００３６】
ステップ０は、冷蔵庫本体１の冷却動作をおこなうメイン制御フローである。
【００３７】
ステップ１は、冷蔵室ドア２がドア開閉検知手段６より開閉しているかを判断しており、開ならばＹｅｓでステップ２へ移行し、閉ならばＮｏとなりステップ５へ移行する。
【００３８】
ステップ２では、照度検知手段５で検知した周囲の明るさである室内の照度Ｘを照度検知装置５から検知する。
【００３９】
ステップ３では、ステップ２で検出した照度Ｘから、図１０により庫内灯の照度Ａを算出する。
【００４０】
ステップ４では、ステップ３で算出した照度Ａで点灯するように調光手段１２を介して灯１０を点灯する。
【００４１】
ステップ５では、周囲の明るさである室内の照度の検知を行い、次回ステップ１での情報とする。
【００４２】
以上のように、本実施の形態においては、冷蔵庫本体１と、前記冷蔵庫庫内の側面に設けられた灯を複数配置した庫内灯６と、前記庫内灯の灯の照度を複数段階に調光する調光手段１２と、前記冷蔵庫本体１の前面に設けられた操作基板４と、前記冷蔵庫本体の前面付近の明るさを検知する照度検知手段５により、前記照度検知手段５により検知した明るさに応じて、前記調光手段１２により前記庫内灯６の照度を強弱することにより、周囲の明るさを検知する照度検知手段５を本体表面に設置し、周囲の明るさに応じて、庫内灯の照度を調整するため、庫内灯の省エネ効果がある。
【００４３】
（実施の形態２）
図６は、冷蔵庫本体１の庫内に配置された庫内灯の構成図である。
【００４４】
図６において、庫内灯６は、複数の灯１３と人体検知手段Ａ１５、複数の灯１４と人体検知手段Ａ１６の複数のグループで構成されている。
【００４５】
図７は、冷蔵庫本体１の制御ブロック図である。
【００４６】
ドア開閉検知手段６と照度検知手段５は、制御装置１１の入力情報と接続されている。
【００４７】
人体検知手段Ａ１５と人体検知手段Ｂ１６は、制御装置１１の入力情報と接続されている。
【００４８】
また庫内灯６の灯Ａ１３と灯Ｂ１４は、個別に灯Ａ１３、灯Ｂ１４の明るさを強弱と調整できる調光手段１２を介して制御装置１１からの出力情報として接続されている。
【００４９】
図８の人体検知の制御フローチャートにより動作の説明を行う。
【００５０】
ステップ０は、冷蔵庫本体１の冷却動作をおこなうメイン制御フローである。
【００５１】
ステップ１は、冷蔵室ドア２がドア開閉検知手段６より開閉しているかを判断しており、開ならばＹｅｓでステップ２へ移行し、閉ならばＮｏとなりステップ８へ移行する。
【００５２】
ステップ２では、人体検知手段Ａ１５で検知した人の有無が、人がいるとステップ４へ移行する。また人がいないととステップ３へ移行する。
【００５３】
ステップ３では、庫内灯の灯Ａ１３を弱点灯するように調光手段１２を介して灯Ａ１３
を弱点灯する。
【００５４】
ステップ４では、庫内灯の灯Ａ１３を強点灯するように調光手段１２を介して灯Ａ１３を強点灯する。
【００５５】
ステップ５では、人体検知手段Ｂ１５で検知した人の有無が、人がいるとステップ７へ移行する。また人がいないととステップ６へ移行する。
【００５６】
ステップ６では、庫内灯の灯Ｂ１４を弱点灯するように調光手段１２を介して灯Ｂ１４を弱点灯する。
【００５７】
ステップ７では、庫内灯の灯Ｂ１４を強点灯するように調光手段１２を介して灯Ｂ１４を強点灯する。
【００５８】
以上のように、本実施の形態においては、冷蔵庫本体１と、前記冷蔵庫庫内の側面に設けられた灯Ａ，灯Ｂの複数に配置した庫内灯６と、庫内灯の灯の照度を強弱の２段階に調光する調光手段１２と、冷蔵庫本体１の前面に設けられた操作基板４と、冷蔵庫本体の前面付近の明るさを検知する照度検知手段５と、前記冷蔵庫本体前の人の動きを検知する人体検知手段と、前記庫内灯に配置された灯をＡ，Ｂのグループに分け、グループ毎に人体検知手段を１個配置することにより、グループ毎に１個配置した前記人体検知手段Ａ，人体検知手段Ｂにより、冷蔵庫本体前の人の動きを検知し、前記調光手段によりグループの灯Ａ、灯Ｂ別の照度を強弱することにより、人の上下の移動に応じて、庫内灯のグループ毎に分けられた灯Ａ，灯Ｂ別の照度が強弱し、庫内灯の省エネ効果がある。
【産業上の利用可能性】
【００５９】
以上のように本発明にかかる冷蔵庫は、家庭用又は業務用冷蔵庫、及びシステムキッチン収納庫や一般的な物置、貯蔵庫などに照度検出手段、人体検知手段を設けて、その結果を用いて庫内灯の照度調整の制御に実施、応用できるものである。
【符号の説明】
【００６０】
１  冷蔵庫本体
２  冷凍室ドア
３  冷蔵室ドア
４  操作基板
５  照度検知手段
６  庫内灯
７  ドア開閉検知手段
８  操作スイッチ
９  表示灯
１０  灯
１１  制御装置
１２  調光手段
１３  灯Ａ
１４  灯Ｂ
１５  人体検知手段Ａ
１６  人体検知手段Ｂ
【図２】
2010281481.tif 000003
【図３】
2010281481.tif 000004
【図４】
2010281481.tif 000005
【図５】
2010281481.tif 000006
【図６】
2010281481.tif 000007
【図７】
2010281481.tif 000008
【図８】
2010281481.tif 000009
【図９】
2010281481.tif 000010
【図１０】
2010281481.tif 000011
【図１】
2010281481.tif 000012